(57)【特許請求の範囲】
【請求項１】
軒樋を吊り下げ支持する樋支持具本体と、上部が屋根板に取り付けられる吊りボルトとを備え、前記樋支持具本体を前記吊りボルトの下部に連結、固定するようにした軒樋吊具であって、
前記樋支持具本体は、正面視で曲がり形状とされる帯板状のボルト取付部を有し、該ボルト取付部に、長手方向に沿って、前記吊りボルトが挿通、スライド可能としたスライド長孔が形成されており、該スライド長孔の幅方向の少なくとも一方側に、前記屋根材の勾配を示す目印が形成されていることを特徴とする軒樋吊具。
【請求項２】
請求項１において、
前記ボルト取付部は複数の平板部が連成されて弓なり状に形成され、前記スライド長孔は少なくとも２以上の平板部に跨るように形成されている、軒樋吊具。
【請求項３】
請求項１において、
前記ボルト取付部は湾曲して弓なり状に形成されている、軒樋吊具。
【発明の詳細な説明】
【技術分野】
【０００１】
本発明は、折板屋根に吊り下げるように取り付ける軒樋吊具に関する。
【背景技術】
【０００２】
図４に示すように、従来のこの種の軒樋吊具１１０は、樋支持具本体１１２を吊り下げるための吊りボルト１１１は、折板屋根の屋根板１０１の軒棟間の傾斜により鉛直下方には垂下せず、傾斜した状態で吊り下がり、そのため樋支持具本体１１２は前耳係止部１１２ａが後耳係止部１１２ｂよりも下がった状態となる。このように樋支持具本体１１２が前耳係止部１１２ａ側に降下傾斜していれば、それに取り付ける軒樋１０２も底部１０２ｂが前耳１０２ａ側に降下傾斜した状態となる。
【０００３】
このように、軒樋１０２の底部１０２ｂが前方に傾斜していれば、竪樋（不図示）の接続位置によっては軒樋１０２から竪樋への雨水の流れが滞るおそれがある。そのため従来では、樋支持具本体を水平状態に維持できるような補正部材を有した軒樋吊具が種々提案されている（たとえば、特許文献１参照）。
【０００４】
特許文献１のものは、上下の一方の面が傾斜面となった、軸孔を有した楔材（楔ワッシャー）を、折板屋根の屋根板または樋支持具本体の上下のナットに対応させて取り付ける構成となっており、その楔材の傾斜角度によって樋支持具本体を水平に補正できるようになっている。屋根は傾斜の程度が種々あるから、傾斜角度の異なる複数の楔材を準備し、現場で楔材を取り替えながら調整するようにすればよい。
【先行技術文献】
【特許文献】
【０００５】
【特許文献１】特開２００１−４９８１３号公報
【発明の概要】
【発明が解決しようとする課題】
【０００６】
しかしながら、補正部材を用いた軒樋吊具では、従前の部材にくわえて、上記文献に記載の楔材などの別体の補正部材を必要とするため、コストがかかるし、取付作業には時間を要する。また、部材管理が面倒にもなる。
【０００７】
本発明は、このような事情を考慮して提案されたもので、その目的は、角度調整のための補正部材を使用することなく、軒樋を水平に取り付ける作業を簡易、迅速にできる軒樋吊具を提供することにある。
【課題を解決するための手段】
【０００８】
上記目的を達成するために、請求項１に記載の軒樋吊具は、軒樋を吊り下げ支持する樋支持具本体と、上部が屋根板に取り付けられる吊りボルトとを備え、前記樋支持具本体を前記吊りボルトの下部に連結、固定するようにした軒樋吊具であって、樋支持具本体は、正面視で曲がり形状とされる帯板状のボルト取付部を有し、該ボルト取付部に、長手方向に沿って、吊りボルトが挿通、スライド可能としたスライド長孔が形成されており、スライド長孔の幅方向の少なくとも一方側に、屋根材の勾配を示す目印が形成されていることを特徴とする。
【００１０】
請求項２に記載の軒樋吊具は、ボルト取付部は複数の平板部が連成されて弓なり状に形成され、スライド長孔は少なくとも２以上の平板部に跨るように形成されている。
【００１１】
請求項３に記載の軒樋吊具は、ボルト取付部は湾曲して弓なり状に形成されている。
【発明の効果】
【００１２】
請求項１に記載の軒樋吊具によれば、上述の構成となっているため、スライド長孔での取付位置をずらすことで角度調整ができる。また、角度調整のための補正部材を使用することなく、樋支持具本体を水平に設置するための作業を簡易、迅速に行うことができる。別体の補正部材を用いない構成であるため、高コスト化せず、部材管理面でも楽である。
【００１３】
さらに、請求項１に記載の軒樋吊具によれば、上述の構成となっているため、ボルト取付部に付された目印を見て吊りボルトをスライド長孔の適切な位置に迅速に誤りなく取り付けることができる。
【００１４】
請求項２に記載の軒樋吊具によれば、上述の構成となっているため、吊りボルト固定用のナットをボルト取付部の表裏面に対して隙間なく取り付けることができる。
【００１５】
請求項３に記載の軒樋吊具によれば、上述の構成となっているため、吊りボルトをスライド長孔のいずれの位置にも取り付けられ、角度の微調整を行うこともできる。
【図面の簡単な説明】
【００１６】
【図１】（ａ）は、本発明の第１実施形態に係る軒樋吊具の一例を示す分解説明図である。（ｂ）は同軒樋吊具のボルト取付部の要部正面イメージ図、（ｃ）は同ボルト取付部の要部拡大概略平面図である。
【図２】（ａ）、（ｂ）は同軒樋吊具の取付態様の２例を示す正面図である。
【図３】（ａ）は、本発明の第２実施形態に係る軒樋吊具の樋支持具本体を示す正面図である。（ｂ）、（ｃ）は同軒樋吊具のボルト取付部の要部２例を示す要部拡大概略平面図である。
【図４】従来の軒樋吊具の取付状態を示す正面図である。
【発明を実施するための形態】
【００１７】
以下に、本発明の実施の形態について、添付図面を参照しながら説明する。以下に示す軒樋吊具Ａ、Ａは、たとえば折板屋根の山部などに取り付けられるようになっている。
【００１８】
まず、図１、図３に示した２実施形態に係る軒樋吊具Ａ、Ａの共通の基本構成について説明する。なお図３には、軒樋吊具Ａの構成部材である樋支持具本体２０のみを図示し、他の部材は図示を省略した。
【００１９】
これらの軒樋吊具Ａ、Ａは、軒樋２を吊り下げ支持する樋支持具本体２０と、上部が屋根板１に取り付けられる吊りボルト１０とを備え、樋支持具本体２０を吊りボルト１０の下部に連結、固定するようにした軒樋吊具である。樋支持具本体２０は、正面視で曲がり形状とされる帯板状のボルト取付部２１を有し、ボルト取付部２１に、長手方向に沿って、吊りボルト１０が挿通、スライド可能としたスライド長孔２２が形成されている。
【００２０】
ついで、第１の実施形態について詳細に説明する。
【００２１】
吊りボルト１０は、軒樋２を吊り下げ支持する樋支持具本体２０を連結して吊り下げ支持する部材であり、ほぼ全長にわたって雄ネジが形成されている。この吊りボルト１０は、上部が一組のナット３１、３１との螺合により屋根板１に固定され、下部が他の一組のナット３６、３６によって樋支持具本体２０を連結するようになっている。
【００２２】
吊りボルト１０の上部では、屋根板１の下面側において、吊りボルト１０に対して、上から順にワッシャー３４、ナット３１が挿通され、吊りボルト１０の上部では、屋根板１の上面側において、屋根板１の孔１ａに挿通され上方に突出した吊りボルト１０に対して、下から順に、円盤状のパッキン３３、そのパッキン３３を覆う椀形状の座金３２、ナット３１が挿通される。
【００２３】
屋根は軒側に向けて下り傾斜しており、この屋根に吊りボルト１０がナット３１、３１で固定されると、吊りボルト１０は、図１（ａ）に示すように屋根の勾配に応じてやや傾いて吊り下げ支持された状態となる。
【００２４】
樋支持具本体２０は、吊りボルト１０が挿通されるスライド長孔２２が、帯板状のボルト取付部２１のほぼ全長にわたり形成されている。ボルト取付部２１の前後には軒樋２の前耳２ａ、後耳２ｂを係止する前耳係止部２３、後耳係止部２４を有している。一組のナット３６、３６は、樋支持具本体２０のボルト取付部２１を挟着するように、スライド長孔２２に挿通した吊りボルト１０の表裏面側に螺着され、締め付けられることで樋支持具本体２０を固定する。
【００２５】
ボルト取付部２１は、複数の平板部２１ｂ、２１ｂ、・・・（図１（ｂ）参照）が連なって形成されており、わずかな角度変化で折れ曲がりながら略弧状に形成されている。図１（ａ）、（ｂ）に示すように、ボルト取付部２１は正面視で、前耳側が落ち込んでおり、後耳側に向けて徐々に立ち上がるように形成されている。
【００２６】
本図例では、ボルト取付部２１は４つの平板部２１ｂ、２１ｂ、・・・が連成されてなり、図１（ｂ）のイメージ図に示すように、前耳係止部２３に最も近い平板部２１ｂが水平面から角度θ（１寸：約６度）の勾配で後耳方向に上り傾斜しており、その後方に連なる平板部２１ｂはさらに角度θ（水平面から角度２θ（２寸：約１１度））の勾配で上り傾斜し、さらにその後方の平板部２１ｂは水平面から角度３θ（３寸：約１７度）、さらにその後方の平板部は水平面から角度４θ（４寸：約２２度）と上り傾斜している。つまり、ボルト取付部２１は傾斜が角度θずつ大きくなるような傾斜形状となっている。
【００２７】
スライド長孔２２は、吊りボルト１０が挿通した状態で長手方向にスライド移動できるような長孔であり、図１（ｃ）に示すように、４つの平板部２１ｂ、２１ｂ、・・・のすべてに跨るように形成されている。吊りボルト１０と樋支持具本体２０とは、４つの平板部２１ｂ、２１ｂ、・・・のうちのいずれかにおいて固定されるようになっている。
【００２８】
それぞれの平板部２１ｂ、２１ｂ、・・・は、それぞれの長さが相互に異なってもよいが、図１（ｂ）、（ｃ）に２点鎖線で示すように、ナット３６が隣接する平板部２１ｂに跨らないような、ナット３６よりも大きな寸法とすることが安定したナット止めをするうえで望ましい。スライド長孔２２についても、両端の平板部２１ｂ、２１ｂにおいて、ナット３６が隣接する平板部２１ｂに跨らないように十分な長さに形成されることが望ましい。
【００２９】
スライド長孔２２としては、後述する第２の実施形態の図３（ｃ）に示すように、吊りボルト１０を平板部２１ｂごとの所定の位置に連結できるように丸孔部２２ａを設け、それらの間で相互に、吊りボルト１０が圧入状態でスライド移動できるように移動孔部２２ｂを設けた形状であってもよい（図３（ｃ）参照）。
【００３０】
また、それぞれの平板部２１ｂ、２１ｂ、・・・の表面には、図１（ｃ）に示すように、前耳側より順に、４種の勾配を示す勾配を示す目印２１ａ（数字）（最も緩やかな勾配が「１」、ついで「２」、「３」、最も急な勾配が「４」）が付されている。なお、この数字は勾配の単位である「寸」を表したものとすればよいが、「度」であってもよい。また、目印２１ａはスライド長孔２２の幅方向の少なくとも一方に付されればよいが、もちろん両側に付されていてもよい。また、樋支持具本体２０の下方での作業をしやすくするために、ボルト取付部２１の裏面にも目印を２１ａを付けることが望ましい。
【００３１】
このように、この樋支持具本体２０は吊りボルト１０の傾斜、つまり屋根の勾配に応じて、４つの平板部２１ｂ、２１ｂ、・・・のうちの適切な傾斜の平板部２１ｂに吊りボルト１０を取り付けできるようになっている。具体的には、図１（ａ）に示すように、吊りボルト１０が傾斜して取り付けられる場合でも、軒樋２が前後で傾斜しないように、４つの平板部２１ｂ、２１ｂ、・・・の中から適切なものを選択して吊りボルト１０を取り付ければよい。
【００３２】
図１（ａ）には、吊りボルト１０を、最も勾配の小さい屋根に対応して傾斜角度がθの平板部２１ｂに取り付けた例を示した。傾斜角度が２θの屋根には、図２（ａ）に示すように、吊りボルト１０を傾斜角度が２θの平板部２１ｂに取り付ければよいし、傾斜角度が４θの屋根には、図２（ｂ）に示すように、吊りボルト１０を傾斜角度が４θの平板部２１ｂに取り付ければよい。
【００３３】
このように、この軒樋吊具Ａを用いれば、屋根の勾配に応じて吊りボルト１０のボルト取付部２１での取付位置をスライド移動により変えるだけで、軒樋２を底部２ｃが前後方向において傾斜することなく設置することができる。吊りボルト１０をスライドさせるだけなので、作業を迅速に行える。また、角度調整のための補正部材を使用しないので、樋支持具本体を水平に設置するための作業を手間なく、迅速に行うことができる。別体の補正部材を用いない構成であるため、高コスト化せず、部材管理面でも楽である。
【００３４】
また、ボルト取付部２１のスライド長孔の幅方向の外側に勾配を示す目印２１ａが形成されているため、吊りボルト１０の取付位置を屋根の勾配に応じて一目瞭然に判別することができる。
【００３５】
樋支持具本体２０のボルト取付部２１は、上記のような平板部２１ｂ、２１ｂ、・・・の連成よりなるものに代えて、第２の実施形態に係る軒樋吊具の樋支持具本体２０の図例（図３）に示すように、湾曲して弓なり状、たとえば弧状のものであってもよい。なお、吊りボルト、ナットなどの部材、吊りボルトと樋支持具本体２０の連結構造および吊りボルトの屋根への接続構造については図１のものと同じであるため、図示を省略する。
【００３６】
この樋支持具本体２０は、ボルト取付部２１が湾曲して弓なり状に形成されているため、吊りボルト１０をスライド長孔２２のいずれの位置にも取り付けることができる。つまり、両部材の横方向の連結位置を微調整することができる。ボルト取付部２１は折れ曲がりがないため、いったんナット止めした後でも、わずかにナット３６（図１参照）を緩めるだけで吊りボルト１０をスライドさせて微調整することができる。
【００３７】
吊りボルト１０（図１参照）の取付位置の微調整がしやすいように、ボルト取付部２１の表面には、勾配を示す目印２１ａが、図３（ｂ）に示すように細かく付されていることが望ましい。
【００３８】
ボルト取付部２１が湾曲形状のものでは、ボルト取付部２１の表裏面に対するナット３６、３６の密着度が低くなるが、緩やかな湾曲であるためほとんど問題なく、吊りボルト１０（図１参照）と樋支持具本体２０とを連結することに支障はない。
【００３９】
両部材の連結位置のずれ防止を強固にするために、スライド長孔２２を図３（ｃ）のような形状としてもよい。すなわち、図３（ｃ）のものは吊りボルト１０（図１参照）を段階的な位置に固定できるようになっており、そのために丸孔部２２ａと移動孔部２２ｂとが交互に連続する形状となっている。丸孔部２２ａは径が吊りボルト１０（図１参照）の径よりもやや大きく、移動孔部２２ｂはその幅寸法が丸孔部２２ａの径よりも小さく、吊りボルト１０が圧入状態で横方向に移動できる程度の幅に形成されている。
【００４０】
したがって、吊りボルト１０（図１参照）を丸孔部２２ａにナット３６、３６で固定した後には、力を加えない限りは横方向に位置ずれするようなおそれはない。また、吊りボルト１０（図１参照）の取付位置を調整する場合には、ナット３６を緩めてから、吊りボルト１０（図１参照）にスライド方向に少し力を加えて移動孔部２２ｂをスライド通過させるようにすればよい。
【００４１】
以上の２つの実施形態に係る軒樋吊具Ａ、Ａは、そのボルト取付部２１の正面視形状が、図１（ａ）および図３（ａ）に示すように、ほぼ同形状の弓なり状（上記２例のものは詳細には異なるが概略弧状）となっているが、そのような形状には限られない。ボルト取付部２１は、少なくとも、正面視で傾斜角度の異なる複数の位置でナット３６が取り付けられるように形成されていればよい。たとえば、ボルト取付部２１は正面視で角波、曲波形状などであってもよい。
【符号の説明】
【００４２】
Ａ            軒樋吊具
１０          吊りボルト
２０          樋支持具本体
２１          ボルト取付部
２１ａ        目印
２１ｂ        平板部
２２          スライド長孔
２２ａ        丸孔部
２２ｂ        移動孔部
２３          前耳係止部
２４          後耳係止部
３１          ナット（屋根板側）
３６          ナット（樋支持具本体側）
１            屋根板
１ａ          孔
２            軒樋
２ａ          前耳
２ｂ          後耳
２ｃ          底部
【要約】
【課題】樋支持具本体を水平に設置するための作業を簡易、迅速にできる軒樋吊具を提供する。
【解決手段】軒樋吊具Ａは、軒樋２を吊り下げ支持する樋支持具本体２０と、上部が屋根板に取り付けられる吊りボルト１０とを備え、樋支持具本体２０を吊りボルト１０の下部に連結、固定するようになっており、樋支持具本体２０は、正面視で曲がり形状とされる帯板状のボルト取付部２１を有し、該ボルト取付部２１に、長手方向に沿って、吊りボルト１０が挿通、スライド可能としたスライド長孔２２が形成されている。
【選択図】図１【図１】
0005877226.tif 000002
【図２】
0005877226.tif 000003
【図３】
0005877226.tif 000004
【図４】
0005877226.tif 000005